(57)【特許請求の範囲】
【請求項１】
テレビジョン信号を受信し表示手段に映像として表示するテレビジョン受像装置において、
画像データを一時的に記憶する一次記憶手段と、
入力された所定形式で圧縮されている画像圧縮データを復号して、上記一時記憶手段の記憶容量に応じて、復号された画像データをそのまま上記一時記憶手段に記憶させるか、あるいは復号された画像データを間引きして上記一時記憶手段に記憶させると共に、該一時記憶手段に記憶された画像データの画像サイズを検出する画像データ復号手段と、
上記画像データ復号手段により検出された上記画像データの画像サイズと、上記表示手段における表示可能エリアとを比較する比較手段と、
上記比較手段による比較結果に基づいて、上記画像データの画像サイズのアスペクト比を変更することなく、該画像データの垂直方向の画素数を上記表示手段における表示可能エリアの垂直方向の画素数に合致させる、又は該画像データの水平方向の画素数を上記表示手段における表示可能エリアの水平方向の画素数に合致させるように、該画像データを拡大又は縮小する画像データ処理手段とを備えることを特徴とするテレビジョン受像装置。
【請求項２】
脱着自在な略板形状の外部記憶媒体と、少なくとも該外部記憶媒体に記録されている画像圧縮データを読み出す画像データ再生制御手段とを備え、上記画像データ復号手段は、上記画像データ再生制御手段を介して上記外部記憶媒体から画像圧縮データを入力することを特徴とする請求項１記載のテレビジョン受像装置。
【請求項３】
上記外部記録媒体は、半導体記録媒体であることを特徴とする請求項２記載のテレビジョン受像装置。
【請求項４】
上記画像データ処理手段は、拡大又は縮小した画像データの中心位置を上記表示手段の中心部分に一致させることを特徴とする請求項１記載のテレビジョン受像装置。
【請求項５】
上記画像データ処理手段により拡大又は縮小された画像データを記憶する記憶手段を備えることを特徴とする請求項１記載のテレビジョン受像装置。
【請求項６】
上記表示手段は、ＣＲＴ（Cathode Ray Tube）ディスプレイであることを特徴とする請求項１記載のテレビジョン受像装置。
【請求項７】
上記画像圧縮データは、ＪＰＥＧ（Joint Photographic Experts Group）形式に準拠していることを特徴とする請求項１記載のテレビジョン受像装置。
【請求項８】
上記画像圧縮データは、ＭＰＥＧ（Moving Picture Experts Group）形式に準拠していることを特徴とする請求項１記載のテレビジョン受像装置。
【発明の詳細な説明】
【０００１】
【発明の属する技術分野】
本発明は、テレビジョン受像装置に関し、詳しくは、ＪＰＥＧ（Joint Photographic Experts Group）及びＭＰＥＧ（Moving Picture Experts Group）等の離散コサイン変換が用いられて圧縮された画像圧縮データを表示する際に好適なテレビジョン受像装置に関する。
【０００２】
【従来の技術】
近年、テレビジョン受像装置は、テレビジョン信号を受信して、ＣＲＴ（Cathode Ray Tube）ディスプレイに映像として表示する機能の他に、デジタルスチルカメラやパーソナルコンピュータ等から出力されたＪＰＥＧ（Joint Photographic Experts Group）形式等のファイルに書き込まれている画像データを表示する機能を有したものも知られている。
【０００３】
このテレビジョン受像装置の中には、例えば最大画素数１９２０画素×１０８０画素（約２００万画素）を有するＣＲＴディスプレイを備えた高精細度テレビジョン受像装置（HDTV: High Definition TV）が存在している。ここで、一般的には、ＣＲＴディスプレイ内の外周１０〜２０％は、画像が表示されないことがあるため、高精細度テレビジョン受像装置のＣＲＴディスプレイの表示可能（有効表示）エリアは、例えば１６３２画素×９１８画素である。
【０００４】
これにより、高精細度テレビジョン受像装置は、１６３２画素×９１８画素を表示可能エリアとするＣＲＴディスプレイに、ＪＰＥＧの画像データを表示することができる。
【０００５】
【発明が解決しようとする課題】
ところで、上述の高解像度テレビジョン受像装置は、１６３２画素×９１８画素を上回るＪＰＥＧの画像データ、例えば２４００画素×１８００画素（約４３０万画素）の画像サイズを有するＪＰＥＧの画像データを表示した場合には、一部の画像データが欠けてしまい、画像データ全体を表示することができないという問題点がある。
【０００６】
また、高解像度テレビジョン受像装置は、表示可能エリアとされる１６３２画素×９１８画素を下回るＪＰＥＧの画像データ、例えば６８０画素×４８０画素（約３３万画素）の画像サイズを有するＪＰＥＧの画像データを表示した場合には、画像データ全体を表示することができるものの、画像データが小さいため、画像データの周りに多くの隙間を生じさせてしまうという問題点がある。
【０００７】
そこで、本発明は、上述の実情に鑑みて提案されたものであり、ＪＰＥＧ形式等の所定形式で圧縮された画像圧縮データを、真円度を保ちつつ表示手段における表示可能エリアの略全体に表示することができるテレビジョン受像装置を提供することを目的としている。
【０００８】
【課題を解決するための手段】
本発明は、上述の問題点を解決するために、テレビジョン信号を受信し表示手段に映像として表示するテレビジョン受像装置において、画像データを一時的に記憶する一次記憶手段と、入力された所定形式で圧縮されている画像圧縮データを復号して、上記一時記憶手段の記憶容量に応じて、復号された画像データをそのまま上記一時記憶手段に記憶させるか、あるいは復号された画像データを間引きして上記一時記憶手段に記憶させると共に、該一時記憶手段に記憶された画像データの画像サイズを検出する画像データ復号手段と、上記画像データ復号手段により検出された上記画像データの画像サイズと、上記表示手段における表示可能エリアとを比較する比較手段と、上記比較手段による比較結果に基づいて、上記画像データの画像サイズのアスペクト比を変更することなく、該画像データの垂直方向の画素数を上記表示手段における表示可能エリアの垂直方向の画素数に合致させる、又は該画像データの水平方向の画素数を上記表示手段における表示可能エリアの水平方向の画素数に合致させるように、該画像データを拡大又は縮小する画像データ処理手段とを備える。
【０００９】
ここで、脱着自在な略板形状の外部記録媒体と、少なくとも外部記録媒体に記録されている画像圧縮データを読み出す画像データ再生制御手段とを備え、画像データ復号手段は、画像データ再生制御手段を介して外部記録媒体から画像圧縮データを入力する。
【００１０】
このテレビジョン受像装置によれば、脱着自在な略板形状の外部記録媒体に記録されている画像圧縮データを読み出し、読み出された画像圧縮データを復号すると共に復号した画像データの画像サイズを検出し、画像データの画像サイズと表示手段における表示可能エリアとを比較し、その比較結果に基づいて、画像データの画像サイズのアスペクト比を変更することなく、画像データを表示手段における表示可能エリアの略全体に表示する。
【００１１】
【発明の実施の形態】
以下、本発明の実施の形態について図面を参照して詳細に説明する。本発明の実施の形態は、本発明を、高精細度テレビジョン放送に対応した高精細度テレビジョン受像装置に適用したものである。
【００１２】
この高精細度テレビジョン受像装置１の概略構成について、図１を用いて説明する。本実施に形態における高精細度テレビジョン受像装置１は、略箱型形状の筐体２と、筐体２の前面に各種情報が表示されるＣＲＴ（Cathode Ray Tube）ディスプレイ（ブラウン管）３とを備え、さらに脱着自在な略板形状の外部記録媒体とされるメモリカード６を装着するメモリカードドライバ４と、メモリカード６からのデータを入力してＣＲＴディスプレイ３に表示させるように制御する表示制御部５とを少なくとも備えている。ここで、メモリカードドライバ４のスロット部分は、ＣＲＴディスプレイ３の右下に設けられており、ユーザが容易にメモリカード６をメモリカードドライバ４に挿入することができる。
【００１３】
ＣＲＴディスプレイ３は、最大画素数１９２０画素×１０８０画素（約２００万画素）を有しており、このうち表示可能（有効表示）エリアが１６３２画素×９１８画素である。
【００１４】
メモリカード６は、パーソナルコンピュータ、ビデオテープレコーダ、デジタルスチルカメラ等の記録及び／又は再生を行う各種電子機器に対して脱着自在とされ、各種データの読み出し及び書き込みが行われる半導体記録媒体である。このメモリカード６には、例えばＪＰＥＧ（Joint Photographic Experts Group）形式で圧縮されたＪＰＥＧ画像圧縮データ、ＭＰＥＧ（Moving Picture Experts Group）形式で圧縮されたＭＰＥＧ画像圧縮データ、ＭＰＥＧ形式で圧縮されたＭＰＥＧオーディオデータといった各種データが混在して記録されている。
【００１５】
メモリカードドライバ４は、装着しているメモリカード６に記録されている各種データの読み出し、及び／又はメモリカード６に各種データを書き込む。
【００１６】
表示制御部５は、メモリカードドライバ４がメモリカード６から読み出したＪＰＥＧ画像圧縮データを入力して、ＣＲＴディスプレイ３に表示させるように制御するものであり、詳細は後述する。
【００１７】
次に、上述のメモリカード６について、図２〜図４を用いてさらに詳細に説明する。カードメモリ６は、正面が図２（Ａ）に示す外観を呈しており、背面が図２（Ｂ）に示す外観を呈している。すなわち、このメモリカード６は、例えば、縦寸法５０ｍｍ、横寸法２１．５ｍｍ、厚さ寸法２．８ｍｍの筐体１１を備えると共に、メモリカードドライバ４に装着された場合におけるシリアルバスの状態を示すバスステート、各種データ及びクロック等が入出力される１０ピンの端子１２を備える。また、メモリカード６は、記録されているデータの誤消去を防止するための誤消去防止スイッチ１３を備える。
【００１８】
また、メモリカード６は、例えば図３に示すように、装着されたメモリカードドライバ４からの各種データ等を記録する例えば数メガバイト〜数十メガバイトの記憶容量を有するフラッシュメモリ１４と、このフラッシュメモリ１４の内容の管理等を行うメモリコントローラ１５と、メモリカードドライバ４と接続され各種データ等の入出力を行うインタフェース部１６とを備える。
【００１９】
このようなメモリカード６は、１０ピンの端子１２のうち、データ、クロック及びバスステート用の３ピンの端子のみを用いて、メモリカードドライバ４との間でこれらのデータ、クロック及びバスステートの送受信を行う。ここで、クロック及びバスステートは、メモリカードドライバ４から供給され、データは、双方向の半２重転送によりメモリカードドライバ４との間で送受信される。メモリカード６は、データとして制御パケットをメモリカードドライバ４との間で送受信する場合には、例えばクロックの最大周波数を２０ＭＨｚとし、５１２バイト単位を基本としたエラーチェックコードを付加して転送を行う。
【００２０】
メモリカード６は、メモリコントローラ１５によって、シリアルインターフェースのプロトコルにしたがって処理を行い、フラッシュメモリ１４を制御する。
【００２１】
具体的には、メモリカード６は、例えばフラッシュメモリ１４が複数のフラッシュメモリからなる場合には、メモリコントローラ１５によって、各フラッシュメモリを制御する。また、メモリカード６は、例えばフラッシュメモリ１４が種類の異なる複数のフラッシュメモリからなる場合には、メモリコントローラ１５によって、各種フラッシュメモリの特性差を吸収して各フラッシュメモリを制御すると共に、各種フラッシュメモリのエラー特性に応じたエラー訂正処理を行う。さらに、メモリカード６は、メモリコントローラ１５によって、パラレルデータをシリアルデータに変換する処理を行う。
【００２２】
メモリカード６は、このようなメモリコントローラ１５によりシリアルインターフェースのプロトコルに準じた処理を行うことで、現在存在しているいかなるフラッシュメモリであっても、または、将来登場するいかなるフラッシュメモリであっても対応可能となる。
【００２３】
また、メモリカード６は、フラッシュメモリ１４のファイル管理の方式として、例えばパーソナルコンピュータに標準的に搭載されているＦＡＴ（File Allocation Table）による階層ファイルシステムを用いる。メモリカード６は、ＦＡＴによる階層ファイルシステムに基づいて、例えば、静止画データ、動画データ、オーディオデータ（音楽データ）、ボイスデータ（音声データ）といった複数種類のフォーマットのデータをフラッシュメモリ１４に格納し、メモリコントローラ１５によって、フラッシュメモリ１４の内容を制御する。メモリカード６は、データのフォーマット毎に、フラッシュメモリ１４にデータを記録する際のファイルフォーマット及びディレクトリ管理方式を予め規定しており、この規定にしたがって、フラッシュメモリ１４に記録されるデータを管理する。
【００２４】
具体的には、フラッシュメモリ１４におけるルートディレクトリには、図４に示すように、メモリカード６の種類を示すファイルである“ＭＥＭ＊＊＊＊＊．ｉｎｄ”と、静止画ファイルを格納するディレクトリである“ＤＣＩＭ”と、オーディオファイルを格納するディレクトリである“ＨＩＦＩ”と、ボイスファイルを格納するディレクトリである“ＶＯＩＣＥ”と、コントロール情報ファイル等の付加情報ファイルを格納するディレクトリである“ＣＯＮＴＲＯＬ”と、ベンダ固有の情報を格納するディレクトリである“ＭＳ＊＊＊＊＊＊”とが記録される。
【００２５】
そして、メモリカード６は、静止画データのフォーマットとしてＪＥＩＤＡ（日本電子工業振興協会）で規格化されているＤＣＦ（Design rule for Camera File system）を採用し、オーディオデータのフォーマットとしてＩＴＵ−Ｔ（国際電気通信連合）勧告Ｇ．７２６のＡＤＰＣＭ（Adaptive Differential Pulse Code Modulation）を採用している。
【００２６】
このように、メモリカード６は、脱着自在に用いられることによって、例えばデジタルスチルカメラによって撮像されたＪＰＥＧ画像圧縮データを高精細度テレビジョン装置１で利用可能となる。
【００２７】
次に、上述の表示制御部５の概略構成について、図５を用いて詳細に説明する。表示制御部５は、入力されたＪＰＥＧ画像圧縮データを復号するＪＰＥＧデコード部２１と、復号後の画像データが一時的に記憶されるメモリ部２２と、画像データを拡大又は縮小する画像データ処理部２３と、拡大又は縮小された画像データが記憶されるフレームメモリ部２４と、ＣＰＵ（Central Processing Unit）２５とを備えている。
【００２８】
ＪＰＥＧデコード部２１は、メモリカードドライバ４からメモリカード６に記録されているＪＰＥＧ画像圧縮データを入力し、ＪＰＥＧ画像圧縮データのフレームヘッダ部に格納されている画像データのライン数及び１ライン当たりの画素数、すなわち復号後の画像データの画像サイズを検出してＣＰＵ２５へ出力すると共に、メモリ部２２上で復号して画像データを生成して画像データ処理部２３へ出力する。
【００２９】
このとき、ＪＰＥＧデコード部２１は、検出した画像データの画像サイズがＣＲＴディスプレイ３の表示可能エリアを超えてしまい、検出した画像データの画像サイズとメモリ部２２の記憶容量とから算出したメモリ部２２の使用率が、予め制限されている制限値を超えてしまう場合には、メモリ部２２上で復号した画像データに対して水平方向及び垂直方向に間引きを行い、画像サイズを減縮して画像データ処理部２３へ出力すると共に、間引き後の画像サイズをＣＰＵ２５へ出力する。
【００３０】
メモリ部２２は、メモリカード６に記録されているＪＰＥＧ画像圧縮データが展開され、ＪＰＥＧデコード部２１によって復号等の処理が行われる作業領域であり、所定の記憶容量を有している。
【００３１】
ＣＰＵ２５は、ＪＰＥＧデコード部２１から出力された画像データの画像サイズとＣＲＴディスプレイ３の表示可能エリアとを比較して、画像データの拡大・縮小率を決定して画像データ処理部２３へ出力する。
【００３２】
画像データ処理部２３は、ＣＰＵ２５によって決定された画像データの拡大・縮小率に基づいて、ＪＰＥＧデコード部２１からの画像データのアスペクト比を変更することなく、画像データの垂直方向の画素数をＣＲＴディスプレイ３における表示可能エリアの垂直方向の画素数に合致させる、又は画像データの水平方向の画素数をＣＲＴディスプレイ３における表示可能エリアの水平方向の画素数に合致させるように、画像データを拡大又は縮小してフレームメモリ部２４に記憶させた後、ＣＲＴディスプレイ３へ出力する。
【００３３】
なお、画像データ処理部２３は、画像データを拡大する際には、新規の画像データで補間するようにしてもよい。また、画像データ処理部２３は、拡大又は縮小した画像データの中心位置を、ＣＲＴディスプレイ３の中心部分に一致させるようにセンタリングしている。
【００３４】
次に、表示制御部５に入力される画像サイズの異なるＪＰＥＧ画像圧縮データについて、具体的に説明する。例えば、復号後の画像サイズが２４００画素×１８００画素（約４３０万画素）、６４０画素×４８０画素（約３１万画素）、２４００画素×１２００画素（約２９０万画素）、６４０画素×３６０画素（約２３万画素）のＪＰＥＧ画像圧縮データが表示制御部５に入力される場合を想定する。
【００３５】
復号後の画像サイズが２４００画素×１８００画素であるＪＰＥＧ画像圧縮データは、ＣＲＴディスプレイ３の表示可能エリアとする１６３２画素×９１８画素よりも大きくなってしまい、このままではＣＲＴディスプレイ３の表示可能エリアに真円度を保って表示することができない。
【００３６】
このとき、ＪＰＥＧ画像圧縮データがメモリ部２２に展開されて、ＪＰＥＧデコード部２１によって復号されたときのメモリ部２２の使用率が予め制限されている制限値を超えてしまう場合には、ＪＰＥＧ画像圧縮データは、復号後の画像サイズがＣＲＴディスプレイ３の表示可能エリアよりも小さくなるように、水平方向及び垂直方向に例えば二分の一の間引が行われ、１２００画素×９００画素（約１１０万画素）の画像サイズに変更される。さらに、復号された画像データは、ＣＲＴディスプレイ３の表示可能エリアが１６３２画素×９１８画素であるため、画像データ処理部２３において、水平方向及び垂直方向に１．０２倍されて、１２２４画素×９１８画素にリサイズされて、表示可能エリアの垂直方向の画素数と合致するように拡大される。
【００３７】
一方、メモリ部２２のメモリ使用率に制限がない場合には、このＪＰＥＧ画像圧縮データは、ＪＰＥＧデコード部２１において、間引きが行われない。そして、復号された画像データは、ＣＲＴディスプレイ３の表示可能エリアが１６３２画素×９１８画素であるため、画像データ処理部２３において、水平方向及び垂直方向に０．５１倍されて、１２２４画素×９１８画素にリサイズされて、表示可能エリアの垂直方向の画素数と合致するように縮小される。
【００３８】
また、復号後の画像サイズが６４０画素×４８０画素であるＪＰＥＧ画像圧縮データは、ＣＲＴディスプレイ３の表示可能エリアとする１６３２画素×９１８画素よりも小さく、メモリ部２２のメモリ使用率が低くなるため、ＪＰＥＧデコード部２１において、間引きが行われない。そして、復号された画像データは、ＣＲＴディスプレイ３の表示可能エリアが１６３２画素×９１８画素であるため、画像データ処理部２３において、水平方向及び垂直方向に１．９１２５倍されて、１２２４画素×９１８画素にリサイズされて、表示可能エリアの垂直方向の画素数と合致するように拡大される。
【００３９】
また、復号後の画像サイズが２４００画素×１２００画素であるＪＰＥＧ画像圧縮データは、ＣＲＴディスプレイ３の表示可能エリアとする１６３２画素×９１８画素よりも大きくなってしまい、このままではＣＲＴディスプレイ３の表示可能エリアに真円度を保って表示することができない。
【００４０】
このとき、ＪＰＥＧ画像圧縮データがメモリ部２２に展開されて、ＪＰＥＧデコード部２１によって復号されたときのメモリ部２２の使用率が予め制限されている制限値を超えてしまう場合には、ＪＰＥＧ画像圧縮データは、復号後の画像サイズがＣＲＴディスプレイ３の表示可能エリアよりも小さくなるように、水平方向及び垂直方向に例えば二分の一の間引が行われ、１２００画素×６００画素（約７２万画素）の画像サイズに変更される。さらに、復号された画像データは、ＣＲＴディスプレイ３の表示可能エリアが１６３２画素×９１８画素であるため、画像データ処理部２３において、水平方向及び垂直方向に１．３６倍されて、１６３２画素×７９２画素にリサイズされて、表示可能エリアの水平方向の画素数と合致するように拡大される。
【００４１】
一方、メモリ部２２のメモリ使用率に制限がない場合には、このＪＰＥＧ画像圧縮データは、ＪＰＥＧデコード部２１において、間引きが行われない。そして、復号された画像データは、ＣＲＴディスプレイ３の表示可能エリアが１６３２画素×９１８画素であるため、画像データ処理部２３において、水平方向及び垂直方向に０．６８倍されて、１６３２画素×７９２画素にリサイズされて、表示可能エリアの水平方向の画素数と合致するように縮小される。
【００４２】
また、復号後の画像サイズが６４０画素×３６０画素であるＪＰＥＧ画像圧縮データは、ＣＲＴディスプレイ３の表示可能エリアとする１６３２画素×９１８画素よりも小さく、メモリ部２２のメモリ使用率が低くなるため、ＪＰＥＧデコード部２１において、間引きが行われない。そして、復号された画像データは、ＣＲＴディスプレイ３の表示可能エリアが１６３２画素×９１８画素であるため、画像データ処理部２３において、水平方向及び垂直方向に２．５５倍されて、１６３２画素×９１８画素にリサイズされて、表示可能エリアの水平方向の画素数と合致するように拡大される。
【００４３】
次に、高精細度テレビジョン受像装置１がメモリカードドライバ４に装着されたメモリカード６に記録されているＪＰＥＧ画像圧縮データを復号して、ＣＲＴディスプレイ３に表示する処理について、図６に示すフローチャートを用いて説明する。
【００４４】
ステップＳ１において、ＪＰＥＧデコード部２１は、メモリカード６に記録されているＪＰＥＧ画像圧縮データを入力して、ＪＰＥＧ画像圧縮データのフレームヘッダ部に格納されている復号後の画像データの画像サイズを検出する。
【００４５】
ステップＳ２において、ＪＰＥＧデコード部２１は、検出した画像データの画像サイズがＣＲＴディスプレイ３の表示可能エリアを上回るか否かを判別し、上回る場合にはステップＳ３へ進み、下回る場合にはステップＳ３へ進む。
【００４６】
ステップＳ３において、ＪＰＥＧデコード部２１は、検出した画像データの画像サイズとメモリ部２２の記憶容量とから算出したメモリ部２２の使用率が、予め制限されている制限値を上回るか否かを判断し、上回る場合にはステップＳ５へ進み、下回る場合にはステップＳ４へ進む。
【００４７】
ステップＳ４において、ＪＰＥＧデコード部２１は、検出した画像データの画像サイズをＣＰＵ２５へ出力すると共に、ＪＰＥＧ画像圧縮データをメモリ部２２上で復号して画像データを生成し、画像データ処理部２３へ出力する。
【００４８】
ステップＳ５において、ＪＰＥＧデコード部２１は、検出した画像データの画像サイズをＣＰＵ２５へ出力すると共に、ＪＰＥＧ画像圧縮データをメモリ部２２上で復号して画像データを生成し、さらに画像データの画像サイズがＣＲＴディスプレイ３の表示可能エリアよりも小さくなるように、水平方向及び垂直方向に例えば二分の一の間引きを行い、画像サイズを四分の一にして画像データ処理部２３へ出力する。
【００４９】
ステップＳ６において、ＣＰＵ２５は、入力した画像データの画像サイズとＣＲＴディスプレイ３の表示可能エリアとを比較して画像データの拡大・縮小率を決定し、画像データ処理部２３へ出力する。
【００５０】
ステップＳ７において、画像データ処理部２３は、ＣＰＵ２５が決定した画像データの拡大・縮小率に基づいて、ＪＰＥＧデコード部２１から出力された画像データのアスペクト比を変更することなく、画像データの垂直方向の画素数をＣＲＴディスプレイ３における表示可能エリアの垂直方向の画素数に合致させる、又は画像データの水平方向の画素数をＣＲＴディスプレイ３における表示可能エリアの水平方向の画素数に合致させるように、画像データを拡大又は縮小する。
【００５１】
ステップＳ８において、画像データ処理部２３は、拡大又は縮小した画像データをフレームメモリ部２４に書き込む。
【００５２】
ステップＳ９において、画像データ処理部２３は、フレームメモリ部２４に書き込んだ画像データを、その中心位置をＣＲＴディスプレイ３の中心部分に一致させるようにセンタリングしてＣＲＴディスプレイ３の表示可能エリアに表示する。
【００５３】
以上、詳細に説明したように、本実施の形態における高精細度テレビジョン受像装置１は、メモリカード６からデジタルスチルカメラやパーソナルコンピュータ等によって記録された復号後の画像サイズが異なるＪＰＥＧ画像圧縮データを入力し、復号後の画像データのアスペクト比を変更することなく、すなわち真円度を保ちつつ、画像データの垂直方向の画素数をＣＲＴディスプレイ３における表示可能エリアの垂直方向の画素数に合致させる、又は画像データの水平方向の画素数をＣＲＴディスプレイ３における表示可能エリアの水平方向の画素数に合致させるように、拡大又は縮小表示することができる。
【００５４】
これにより、高精細度テレビジョン受像装置１は、メモリカード６に記録されているＪＰＥＧ圧縮画像データを、ＣＲＴディスプレイ３における表示可能エリアの略全体に表示することができるため、ユーザに違和感を覚えさせることがない。
【００５５】
なお、本発明は上述した実施の形態のみに限定されるものではなく、本発明の要旨を逸脱しない範囲において種々の変更が可能であることはもちろんである。
【００５６】
例えば、本実施の形態において、ＣＰＵ２５は、ＪＰＥＧデコード部２１から出力された画像データの画像サイズとＣＲＴディスプレイ３の表示可能エリアとを比較して画像データの拡大・縮小率を決定したが、予め用意した画像データの画像サイズと拡大・縮小率とを対応付けた変換テーブルを用いて画像データの拡大・縮小率を決定してもよい。
【００５７】
また、本実施の形態において、高精細度テレビション受像装置１は、ＪＰＥＧデコード部２１によってＪＰＥＧ画像圧縮データを復号してＣＲＴディスプレイ３に画像データを表示させたが、ＪＰＥＧデコード部２１の代替にＭＰＥＧデコード部を設けてＭＰＥＧ画像圧縮データを復号してＣＲＴディスプレイ３に画像データを表示させるようにすることもできる。
【００５８】
【発明の効果】
以上詳細に説明したように、本発明は、テレビジョン信号を受信し表示手段に映像として表示するテレビジョン受像装置において、画像データを一時的に記憶する一次記憶手段と、入力された所定形式で圧縮されている画像圧縮データを復号して、上記一時記憶手段の記憶容量に応じて、復号された画像データをそのまま上記一時記憶手段に記憶させるか、あるいは復号された画像データを間引きして上記一時記憶手段に記憶させると共に、該一時記憶手段に記憶された画像データの画像サイズを検出する画像データ復号手段と、上記画像データ復号手段により検出された上記画像データの画像サイズと、上記表示手段における表示可能エリアとを比較する比較手段と、上記比較手段による比較結果に基づいて、上記画像データの画像サイズのアスペクト比を変更することなく、該画像データの垂直方向の画素数を上記表示手段における表示可能エリアの垂直方向の画素数に合致させる、又は該画像データの水平方向の画素数を上記表示手段における表示可能エリアの水平方向の画素数に合致させるように、該画像データを拡大又は縮小する画像データ処理手段とを備える。
【００５９】
ここで、脱着自在な略板形状の外部記録媒体と、少なくとも外部記録媒体に記録されている画像圧縮データを読み出す画像データ再生制御手段とを備え、画像データ復号手段は、画像データ再生制御手段を介して外部記録媒体から画像圧縮データを入力する。
【００６０】
これにより、テレビジョン受像装置は、脱着自在な略板形状の外部記録媒体に記録されている画像圧縮データを読み出し、読み出された画像圧縮データを復号すると共に復号した画像データの画像サイズを検出し、画像データの画像サイズと表示手段における表示可能エリアとを比較し、その比較結果に基づいて、画像データの画像サイズのアスペクト比を変更することなく、画像データを表示手段における表示可能エリアの略全体に表示することができるため、ユーザに違和感を覚えさせることがない。
【図面の簡単な説明】
【図１】本発明の実施の形態における高精細度テレビジョン受像装置の概略構成を説明する図である。
【図２】高精細度テレビジョン受像装置に用いられるメモリカードの外観図であって、（Ａ）は、メモリカードの外観の正面図であり、（Ｂ）は、メモリカードの外観の背面図である。
【図３】メモリカードの内部構成を示すブロック図である。
【図４】メモリカードにおけるディレクトリ管理を説明する図である。
【図５】高精細度テレビジョン受像装置を構成する表示制御部の概略構成を示すブロック図である。
【図６】高精細度テレビジョン受像装置がＪＰＥＧ画像圧縮データをＣＲＴディスプレイ３に表示する処理を示すフローチャートである。
【符号の説明】
１  高精細度テレビジョン受像装置、２  筐体、３  ＣＲＴディスプレイ、４メモリカードドライバ、５  表示制御部、６  メモリカード、１１  筐体、１２  端子、１３  誤消去防止スイッチ、１４  フラッシュメモリ、１５  メモリコントローラ、１６  インターフェース部、２１  ＪＰＥＧデコード部、２２  メモリ部、２３  画像データ処理部、２４  フレームメモリ部、２５  ＣＰＵ
【図１】
0003678187.tif 000002
【図２】
0003678187.tif 000003
【図３】
0003678187.tif 000004
【図４】
0003678187.tif 000005
【図５】
0003678187.tif 000006
【図６】
0003678187.tif 000007